(57)【特許請求の範囲】
【請求項１】
移動遠隔通信システムにおいて移動ステーションの電力を制御する方法であって、
高速度データ送信のために各フレームにおいて少なくとも２つのタイムスロットを移動ステーションに割り当て、
高速度データを少なくとも２つの低速度データ信号に分割し、
無線経路を経て上記移動ステーションと固定無線ネットワークのベースステーションとの間で上記低速度データ信号を次々のフレームの上記割り当てられたタイムスロットにおける別々のバーストとして送信し、
上記無線経路を経て送信するとき上記高速度データに戻すため上記低速度データ信号を合成し、
上記移動ステーションに割り当てられた各タイムスロットにおいて上記移動ステーションで信号レベル及び／又はその質のような受信低速度信号の特性を測定し、そして
２つ以上のタイムスロットの測定結果の組合せに基づくか又は最悪のタイムスロットの測定結果に基づいて、移動ステーションの送信電力を制御する、
という段階を含むことを特徴とする方法。
【請求項２】
移動ステーションに指定された全てのタイムスロットに共通の並列制御チャンネルを移動ステーションに指定し、
全てのタイムスロットの測定結果の組合せを移動ステーションから上記共通の並列制御チャンネルを経て固定の無線ネットワークへ送信し、そして
上記共通の並列制御チャンネルを経て全てのタイムスロットにおいて移動ステーションの送信電力を制御する請求項１に記載の方法。
【請求項３】
移動ステーションに指定された各タイムスロットごとに専用の並列制御チャンネルを移動ステーションに指定し、
各タイムスロットの測定結果を移動ステーションから上記タイムスロットに対応する並列制御チャンネルを経て固定無線ネットワークへ別々に送信し、そして
上記タイムスロットに対応する並列制御チャンネルを経て各タイムスロットにおいて移動ステーションの送信電力を制御する請求項１に記載の方法。
【請求項４】
移動ステーションに指定された各タイムスロットごとに専用の並列制御チャンネルを移動ステーションに指定し、
各タイムスロットの測定結果を移動ステーションから上記タイムスロットに対応する並列制御チャンネルを経て固定無線ネットワークへ別々に送信し、そして
１つの共通の並列制御チャンネルを経て全てのタイムスロットにおいて移動ステーションの送信電力を制御する請求項１に記載の方法。
【請求項５】
移動遠隔通信システムにおいてハンドオーバーを行う方法であって、
高速度データ送信のために各フレームにおいて少なくとも２つのタイムスロットを移動ステーションに割り当て、
高速度データを少なくとも２つの低速度データ信号に分割し、
無線経路を経て上記移動ステーションと固定無線ネットワークのベースステーションとの間で上記低速度データ信号を次々のフレームの上記割り当てられたタイムスロットにおける別々のバーストとして送信し、
上記無線経路を経て送信するとき上記高速度データに戻すため上記低速度データ信号を合成し、
上記移動ステーションに割り当てられた各タイムスロットにおいて上記移動ステーションで信号レベル及び／又はその質のような受信低速度信号の特性を測定し、そして
２つ以上のタイムスロットの測定結果の組合せに基づくか又は最悪のタイムスロットの測定結果に基づいて、ハンドオーバーの判断を行う、
という段階を備えたことを特徴とする方法。
【請求項６】
移動ステーションに指定された全てのタイムスロットに共通の並列制御チャンネルを移動ステーションに指定し、そして
全てのタイムスロットの測定結果の組合せを移動ステーションから上記共通の並列制御チャンネルを経て固定の無線ネットワークへ送信する請求項５に記載の方法。
【請求項７】
移動ステーションに指定された各タイムスロットごとに専用の並列制御チャンネルを移動ステーションに指定し、そして
各タイムスロットの測定結果を移動ステーションから上記タイムスロットに対応する並列制御チャンネルを経て固定無線ネットワークへ別々に送信する請求項５に記載の方法。
【請求項８】
移動遠隔通信システムにおける移動ステーションの制御構成体であって、高速度データ送信のために各フレームにおいて少なくとも２つのタイムスロットを移動ステーションに割り当てることができ、高速度データが少なくとも２つの低速度データ信号に分割され、データが無線経路を経て移動ステーションと固定無線ネットワークのベースステーションとの間で次々のフレームのタイムスロットにおけるバーストとして送信されるような制御構成体において、移動ステーションは、その移動ステーションに割り当てられた各タイムスロットにおいて信号レベル及び／又はその質のような受信低速度信号の特性を測定するように構成され、そして上記固定の無線ネットワークは、２つ以上のタイムスロットの測定結果の組合せに基づくか又は最悪のタイムスロットの測定結果に基づいて、移動ステーションの送信電力を制御し及び／又はハンドオーバーの判断を行うように構成されたことを特徴とする制御構成体。
【請求項９】
移動ステーションは、該移動ステーションに指定された全てのタイムスロットに共通の並列な制御チャンネルを有し、そして移動ステーションは、全てのタイムスロットの測定結果の組合せを移動ステーションから上記共通の並列制御チャンネルを経て固定の無線ネットワークへ送信するように構成された請求項８に記載の構成体。
【請求項１０】
上記固定無線ネットワークは、上記共通の並列制御チャンネルを経て全てのタイムスロットにおいて移動ステーションの送信電力を制御するように構成される請求項９に記載の構成体。
【請求項１１】
移動ステーションは、該移動ステーションに指定された各タイムスロットごとに専用の並列制御チャンネルを有し、そして移動ステーションは、全てのタイムスロットの測定結果の組合せを上記タイムスロットに対応する並列制御チャンネルを経て固定無線ネットワークへ別々に送信するように構成された請求項８に記載の構成体。
【請求項１２】
固定無線ネットワークは、上記タイムスロットに対応する並列制御チャンネルを経て各タイムスロットにおいて移動ステーションの送信電力を制御するように構成される請求項１１に記載の構成体。
【請求項１３】
固定無線ネットワークは、１つの並列制御チャンネルを経て全てのタイムスロットにおいて移動ステーションの送信電力を制御するように構成される請求項１１に記載の構成体。
【発明の詳細な説明】
発明の分野
本発明は、移動ステーションの電力を制御するための方法及び構成体に係り、データが無線経路を経て移動ステーションと固定無線ネットワークのベースステーションとの間で次々のフレームのタイムスロットにおけるバーストとして送信されるような移動遠隔通信システムにおいてハンドオーバーを実行する方法に関する。
先行技術の説明
時分割マルチプルアクセス（ＴＤＭＡ）型の移動遠隔通信システムでは、無線経路における時分割通信が、各々多数のタイムスロットより成る次々のＴＤＭＡフレームにおいて行われる。各タイムスロットにおいて、短い情報パケットが一定巾の高周波バーストとして送られ、このバーストは、多数の変調されたビットで構成される。ほとんどの部分に対し、タイムスロットは、制御チャンネル及びトラフィックチャンネルの送信に使用される。トラフィックチャンネルでは、スピーチ及びデータが送信される。制御チャンネルでは、ベースステーションと移動加入者ステーションとの間の信号が搬送される。パン・ヨーロピアン移動システムＧＳＭ（グローバル・システムズ・フォア・モービル・コミュニケーションズ）は、ＴＤＭＡ無線システムの一例である。
従来のＴＤＭＡシステムで通信する場合には、各移動ステーションに、データ又はスピーチ送信のためにトラフィックチャンネルの１つのタイムスロットが指定される。従って、ＧＳＭシステムは、例えば、同じキャリア周波数において異なる移動ステーションに対し８個程度の同時接続を有することができる。トラフィックチャンネルにおける最大データ転送レートは、使用帯域巾並びにチャンネルコード及びエラー補正に基づいて比較的低いレベルに制限され、例えば、ＧＳＭシステムでは、９．６ｋビット／ｓ又は１２ｋビット／ｓに制限される。これに加えて、ＧＳＭシステムでは、低速度のスピーチコード化に対し、半速度のトラフィックチャンネル（最大４．８ｋビット／ｓ）を選択することができる。半速度のトラフィックチャンネルは、移動ステーションが１つおきのフレームの特定のタイムスロットのみにおいて通信するとき、換言すれば、半速度で通信するときに、確立される。その同じタイムスロットの１つおきのフレームでは第２の移動ステーションが通信する。これは、加入者の数に関する限りシステムの容量をいかに倍増するか、換言すれば、同じキャリア波において１６までの移動ステーションが同時に通信を行えるようにする方法である。
最近の数年間において、移動通信ネットワークにおいて高速データサービスの必要性が著しく増大した。例えば、ＩＳＤＮ（サービス総合デジタル網）回路交換デジタルデータサービスを利用するためには、少なくとも６４ｋビット／ｓのデータ転送レートが必要とされる。モデムやクラスＧ３のファックスターミナルのような公衆電話ネットワークのＰＳＴＮデータサービスは、１４．４ｋビット／ｓといった高速転送レートを必要とする。高い転送レートを必要とする移動データ転送の成長を続けている分野の１つは、移動ビデオサービスである。この種のサービスの一例として、カメラ及びビデオデータベースによる保安制御を挙げることができる。ビデオ転送における最小のデータ転送レートは、例えば、１６又は３２ｋビット／ｓである。
しかしながら、現在の移動通信ネットワークのデータ転送レートは、この種の新たな要求を満足するのに充分なものではない。
発明の要旨
本発明の目的は、移動通信ネットワークにおいて高いデータ転送レートを可能にすることである。
本発明の別の目的は、高速データ送信に関連した移動ステーションのハンドオーバー及び電力を制御することである。
この目的は、移動遠隔通信システムにおいて移動ステーションの電力を制御する方法であって、無線経路を経て移動ステーションと固定無線ネットワークのベースステーションとの間でデータを次々のフレームのタイムスロットにおけるバーストとして送信し、そして高速データ送信のために各フレームにおいて少なくとも２つのタイムスロットを移動ステーションに割り当てることを含む方法において、
上記移動ステーションに割り当てられた各タイムスロットにおいて移動ステーションで信号レベル及び／又はその質のような受信信号の特性を測定し、そして
２つ以上のタイムスロットの測定結果の組合せに基づくか又は最も質の悪いタイムスロットの測定結果に基づいて、移動ステーションの送信電力を制御する、という段階を含む方法によって達成される。
又、本発明は、移動遠隔通信システムにおいてハンドオーバーを行う方法であって、無線経路を経て移動ステーションと固定無線ネットワークのベースステーションとの間でデータを次々のフレームのタイムスロットにおけるバーストとして送信し、そして高速データ送信のために各フレームにおいて少なくとも２つのタイムスロットを移動ステーションに割り当てることを含む方法において、
上記移動ステーションに割り当てられた各タイムスロットにおいて移動ステーションで信号レベル及び／又はその質のような受信信号の特性を測定し、そして
２つ以上のタイムスロットの測定結果の組合せに基づくか又は最も質の悪いタイムスロットの測定結果に基づいて、ハンドオーバーの判断を行う、
という段階を備えた方法にも係る。
又、本発明は、移動遠隔通信システムにおける移動ステーションの制御構成体であって、データが無線経路を経て移動ステーションと固定無線ネットワークのベースステーションとの間で次々のフレームのタイムスロットにおけるバーストとして送信され、そして高速データ送信のために各フレームにおいて少なくとも２つのタイムスロットを移動ステーションに割り当てることのできる制御構成体において、移動ステーションは、その移動ステーションに割り当てられた各タイムスロットにおいて信号レベル及び／又はその質のような受信信号の特性を測定するように構成され、そして上記固定の無線ネットワークは、２つ以上のタイムスロットの測定結果の組合せに基づくか又は最も質の悪いタイムスロットの測定結果に基づいて、移動ステーションの送信電力を制御し及び／又はハンドオーバーの判断を行うように構成された制御構成体にも係る。
本発明は、移動ステーションが各フレームにおいて２つ以上のタイムスロットにアクセスするようないわゆるマルチスロット技術を使用する。無線経路を経て送信されるべき高速データ信号は、低速度の所要数のデータ信号に分割され、各信号は各タイムスロットにおいてバーストとして送信される。低速度のデータ信号が無線経路を経て個別に送信されるや否や、それらは、再び、受信端において元の高速信号へと結合される。これは、加入者により使用されるべくタイムスロットが２つ指定されるか３つ指定されるか又はそれ以上指定されるかに基づいてデータ転送レートを２倍、３倍、等々にする方法である。ＧＳＭシステムでは、例えば、２つのタイムスロットが２ｘ９．６ｋビット／ｓのデータ転送速度を可能にし、これは、例えば、１４．４ｋビット／ｓのモデム又はファックスターミナルに充分なものである。６つのタイムスロットは、６４ｋビット／ｓのデータ転送レートを可能にする。
高速データ信号が１つのフレーム内の多数のタイムスロットにおける多数のバーストとして送信される本発明によるマルチスロット技術は、移動ステーションにデータ送信のために同じフレームにおいて多数のタイムスロットが指定されるが全データ信号はその指定されたタイムスロットの時間中に拡張された１つのバーストとして送信されるような別の解決策に勝る多数の効果を有する。本発明においては、物理的送信経路（無線経路、例えば、ＧＳＭのレーヤ１）の他の重要な特性、例えば、周波数分割、フレームフォーマット及びタイムスロット構成、データ転送レート、エラー補正、変調、ＴＤＭＡバーストのフォーマット、ビットエラー率（ＢＥＲ）、等を変更する必要がない。換言すれば、本発明により、単一構造の物理的な送信経路により無線システムにおいて異なる種類の加入者データ転送レートをサポートすることができる。従って、加入者ターミナルにより多数の構造の物理的な送信経路をサポートする必要がない。
本発明のマルチスロット技術は、移動ステーションに割り当てられた各タイムスロット即ちトラフィックチャンネルを、測定、測定報告の送信及び電力制御とは独立したトラフィックチャンネルとして取り扱うことができる。各トラフィックチャンネルは、独立して測定される。本発明の主たる実施形態においては、個々の並列の制御チャンネルを各トラフィックチャンネルのタイムスロットに関連させることにより、電力制御及び測定結果の報告を各タイムスロットごとに独立して行うことができる。これは、例えば、異なる干渉状態により異なるタイムスロットにおいて信号の質を相当に変更できるので、効果的である。分割した電力制御により、使用する電力及び受信信号の質に対して更に最適なマルチスロットシステムを得ることができる。送信電力を最適に使用することは、平均送信電力が低いことを意味し、これはバッテリ寿命を長くする。又、システムの平均干渉レベルが減少され、高いシステム容量が得られる。
本発明の第２の実施形態では、全てのタイムスロットがそれら自身の制御チャンネルを有し、これを経て測定報告が送信されるが、電力制御は、各チャンネルごとに、固定ネットワークから移動ステーションへの方向に１つの単一の制御チャンネルのみを経て行われる。
移動ステーションに指定された全てのタイムスロットに対し共通の並列な制御チャンネルを使用することにより、重要度は低くても、システムの性能の同様の種類の改善が得られ、全てのタイムスロットの測定結果の組合せ、例えば、平均値が、共通の制御チャンネルを経て固定無線ネットワークに送信される。固定無線ネットワークは、同じ共通の制御チャンネルを介して移動ステーションの送信電力を制御する。
又、ハンドオーバーの判断の信頼性は、マルチスロットシステムにおいて移動ステーションに指定された各タイムスロットが本発明により独立して測定される場合に改善することができ、そしてハンドオーバーの判断は、平均値のような測定結果の組合せ、又は最も質の悪いタイムスロットに基づいて行われる。
隣接するタイムスロットが使用される場合には、実施が特に簡単である。従って、フレームの残り部分において種々の測定を容易に行うことができ、移動ステーションの受信器における周波数合成装置の台数の増加が回避される。ＧＳＭシステムでは、本発明を２つのタイムスロットで実施するのが特に効果的である。
【図面の簡単な説明】
以下、添付図面を参照し、本発明の好ましい実施例を詳細に説明する。
図１は、本発明を適用できる移動システムの部分を示す図である。
図２、３、４及び５は、ＴＤＭＡフレームフォーマットを示す図である。
図６は、ＴＣＨ／Ｆ＋ＳＡＣＣＨマルチフレームを示す図である。
図７は、１つのタイムスロットにおける従来のデータ送信を示す図である。
図８は、２つのタイムスロットにおける本発明によるデータ送信を示す図である。
図９は、１つのタイムスロットのデータ送信における送信、受信及び測定のタイミングを示す図である。
図１０は、２つのタイムスロットのデータ送信における送信、受信及び測定のタイミングを示す図である。
好ましい実施形態の詳細な説明
本発明は、例えば、パン・ヨーロピアンデジタル移動システムＧＳＭ、ＤＳＣ１８００（デジタルコミュニケーションシステム）、ＵＭＴＳ（ユニバーサル・モービル・テレコミュニケーションシステム）、ＦＰＬＭＴＳ（ヒューチャー・パブリック・ランド・モービル・テレコミュニケーションシステム）等のＴＤＭＡ型のほとんどのデジタル移動システムにおいて高速データ送信に適用することができる。
ＧＳＭ型の移動システムが一例として示されている。ＧＳＭ（グローバル・システム・フォー・モービル・コミュニケーションズ）は、パン・ヨーロピアン移動システムである。図１は、ＧＳＭシステムの基本的な要素を非常に簡単に説明するもので、システムの細部又は他のサブ区分はそれ以上説明しない。ＧＳＭシステムの詳細な説明については、ＧＳＭ推奨勧告及び「移動通信用のＧＳＭシステム（The GSM System for Mobile Communications）」、Ｍ．モーリ及びＭ．ポーテット著、パライズー、フランス、１９９２年、ＩＳＢＮ：２−９５０７１９０−０−７を参照されたい。
移動サービス交換センターＭＳＣは、入呼び及び出呼の接続を取り扱う。これは、公衆電話ネットワーク（ＰＳＴＮ）の交換機に類似した機能を実行する。これに加えて、移動通信の特徴である機能、例えば、ネットワークの加入者レジスタと共働する加入者位置管理のみを実行する。加入者レジスタとして、ＧＳＭシステムは、少なくともホーム位置レジスタＨＬＲ及びビジター位置レジスタＶＬＲを備え、これらは図１には示されていない。加入者の位置の正確な情報、通常は、位置エリアの精度がビジター位置レジスタに記憶され、典型的に、各移動サービス交換センターＭＳＣごとに１つのＶＬＲがあり、一方、ＨＬＲは、移動ステーションＭＳが訪問するのはどのＶＬＲエリアかを知る。移動ステーションＭＳは、ベースステーションシステムによってセンターＭＳＣに接続される。ベースステーションシステムは、ベースステーションコントローラＢＳＣ及びベースステーションＢＴＳより成る。１つのベースステーションコントローラを用いて多数のベースステーションＢＴＳが制御される。ＢＳＣのタスクは、とりわけ、ベースステーション内でハンドオーバーが行われるか又は同じＢＳＣにより制御される２つのベースステーション間でハンドオーバーが行われる場合にハンドオーバーを含む。図１は、明瞭化のため、９つのベースステーションＢＴＳ１−ＢＴＳ９がベースステーションコントローラＢＳＣに接続され、これらベースステーションの無線到達範囲がそれに対応する無線セルＣ１−Ｃ９を形成するようなベースステーションシステムのみを示している。
ＧＳＭシステムは、時分割マルチプレクスアクセス（ＴＤＭＡ）システムであり、各々多数のタイムスロットより成る次々のＴＤＭＡフレームにおいて無線経路上で時分割トラフィックが行われる。各タイムスロットにおいて、短い情報パケットが一定巾の無線周波数バーストとして送られ、該バーストは、多数の変調されたビットで構成される。ほとんどの部分に対し、タイムスロットは、制御チャンネル及びトラフィックチャンネルの送信に使用される。トラフィックチャンネルでは、スピーチ及びデータが送信される。制御チャンネルでは、ベースステーションと移動加入者ステーションとの間で信号が搬送される。
ＧＳＭシステムの無線インターフェイスに使用されるチャンネル構造体は、ＥＴＳＩ／ＧＳＭ推奨規格０５．０２に詳細に説明されている。ＧＳＭシステムのＴＤＭＡフレームフォーマットが図２ないし５に一例として示されている。図５は、トラフィックチャンネル又は制御チャンネルとして使用される８個のタイムスロット０−７を含むＴＤＭＡ基本フレームを示している。従って、タイムスロットの巾より短い１つの無線周波数バーストのみが各タイムスロットにおいて送信される。１つのＴＤＭＡ基本フレームがタイムスロット７において終わるや否や、次の基本フレームのタイムスロット０が直ちに開始される。従って、図４に示すように、トラフィックチャンネルが問題であるか制御チャンネル構造が問題であるかに基づいて、２６又は５１の次々のＴＤＭＡフレームがマルチフレームを形成する。スーパーフレームは、図３に示すように、マルチフレームが２６のフレームを有するか５１のフレームを有するかに基づいて、５１又は２６の次々のマルチフレームで構成される。ハイパーフレームは、図２に示すように、２０４８個のスーパーフレームで形成される。ハイパーフレームは、その終了が新たな同様のハイパーフレームをスタートさせる最大の連続フレーム単位である。
図６は、推奨勧告により定義された全速度トラフィックチャンネルＴＣＨ／Ｆ−ＳＡＣＣＨ／ＴＦの構造を示すもので、該構造において、マルチフレームは、２４個の全速度トラフィックチャンネルフレームＴＣＨと、１つの並列な制御チャンネルフレームＳＡＣＣＨと、ダミーフレームＩＤＬＥとを含んでいる。トラフィックチャンネルとして使用されるべく指定された各々のタイムスロットにおいて、制御チャンネルＳＡＣＣＨ及びダミータイムスロットは、２６個のタイムスロットごとに繰り返される。フレームＳＡＣＣＨ及びＩＤＬＥの位置は、タイムスロット０、２、４及び６と、タイムスロット１、３、５及び７では異なる。図７に示されたものは、タイムスロット０、２、４及び６に対して有効である。タイムスロット１、３、５及び７においては、フレームＩＤＬＥ及びＳＡＣＣＨが場所を交換する。制御チャンネルＳＡＣＣＨは、測定結果を移動ステーションから固定無線ネットワークへ報告し、そして固定無線ネットワークから移動ステーションを制御し、例えば、その電力を調整するのに使用される。
通常の動作において、通話の始めに、移動ステーションＭＳには、キャリア波から１つのタイムスロットがトラフィックチャンネルとして指定される（単一スロットアクセス）。移動ステーションＭＳは、高周波バーストを送信及び受信するためにこのタイムスロットに同期する。図７においては、例えば、移動ステーションＭＳがフレームのタイムスロット０にロックされる。送信されるべきデータＤＡＴＡＩＮに対して、チャンネルコード化、インターリーブ、バースト形成及び変調７０が行われ、この動作の後に、無線周波数バーストが各ＴＤＭＡフレームのタイムスロット０において送信される。フレームの残りの部分において、ＭＳは、以下に述べるように、種々の測定を行う。
本発明によれば、１つのトラフィックチャンネルが与えることのできる以上の高い速度のデータ送信を必要とする移動ステーションＭＳには、同じフレームから２つ以上のタイムスロットが指定される。
本発明によるマルチスロット技術は、トラフィックチャンネルの割り当てに関する信号伝送に幾つかの付加的な特徴を必要とする。コールセットアップ時間中に、トラフィックチャンネルを移動ステーションに指定することは、固定のネットワークによって移動ステーションへ送信される指定コマンドにより行われる。このメッセージは、本発明による高速度データ送信に対し移動ステーションＭＳに指定された全てのトラフィックチャンネルのデータを含まねばならない。現在まで、ＧＳＭシステムは、同じ指定コマンドにおいて２つの半速度トラフィックチャンネルをアドレスできねばならない。というのは、メッセージが第１及び第２の両方のトラフィックチャンネルに対する記述及びモードを含むからである。本発明の指定コマンドは、少なくとも２つのタイムスロット、即ち全速度トラフィックチャンネルのアドレス動作をカバーするように容易に拡張することができる。指定コマンドは、ＧＳＭ推奨勧告０４．０８、バージョン４．５．０、１９９３年６月、第１６８−１７０ページに掲載されている。本発明によるチャンネルアドレス動作は、第１チャンネルの指定コマンドデータエレメントモードと、第２チャンネルのモードと、チャンネル記述情報エレメントとにおいて行うことができ、これらは、ＧＳＭ推奨勧告０４．０８、バージョン４．５．０、１９９３年６月、第３１６−３５０ページに詳細に述べられている。３つ以上のタイムスロットをアドレスする場合は、新たなメッセージを決定しなければならない。アドレスされた全てのチャンネルは、同じ形式のチャンネル、即ちＴＣＨ／Ｆであるから、メッセージは、第１チャンネルの形式及び必要な全チャンネル数を記述することに限定できる。このような場合に、メッセージはやや短くそして簡単である。
対応的に、ハンドオーバーの場合には、ハンドオーバーコマンドが同じフレーム内の２つ以上のタイムスロットをアドレスできねばならない。ＧＳＭシステムでは、ハンドオーバーコマンドは、指定コマンドについて上記したものと同じデータフィールドを含み、従って、同様の変更で本発明の要件に適用することができる。ハンドオーバーコマンドは、ＧＳＭ推奨勧告０４．０８、バージョン４．５．０、１９９３年６月、第１８４−１８９ページに掲載されている。
第２の別の態様は、各タイムスロットごとに専用の指定コマンドを使用することである。
両方の場合に、移動ステーションの出呼及び入呼びの両方のセットアップメッセージ（ＳＥＴＵＰ）は、実際のチャンネル要件、換言すれば、必要な時間スロットの数に関する情報を含まねばならない。この情報は、ベアラ容量情報エレメントＢＣＩＥに含まれる。このＢＣＩＥは、ＧＳＭ推奨勧告０４．０８、バージョン４．５．０、第４２３−４３１ページに掲載されている。
図８は、移動ステーションＭＳに、同じＴＤＭＡフレームから次々の時間スロット０及び１が指定される例を示している。無線経路を経て転送されるべき高速度データ信号ＤＡＴＡＩＮは、分割器８２において、低速度の必要な数のデータ信号ＤＡＴＡ１及びＤＡＴＡ２に分割される。この低速度の各データ信号ＤＡＴＡ１及びＤＡＴＡ２に対して、チャンネルコード化、インターリーブ、バースト形成及び変調８０、並びにそれに対応するもの８１が個別に行われ、その後、各データ信号は、その専用時間スロット０及び１において無線周波数バーストとして各々送信される。低速度データ信号ＤＡＴＡ１及びＤＡＴＡ２が無線経路を経て個別に送信されるや否や、これら信号の復調、インターリーブ解除及びチャンネルデコード動作８３、並びにそれに対応するもの８４が受信端において別々に行われ、その後、信号ＤＡＴＡ１及びＤＡＴＡ２は、受信端の合成器８５において元の高速度信号ＤＡＴＡＯＵＴへと合成される。
固定ネットワークの側では、図８のブロック８０、８１、８３、８４の機能、即ち、チャンネルコード化、インターリーブ、バースト形成及び変調、並びにそれに対応的に、復調、インターリーブ解除及びチャンネルデコード動作が、好都合にも、ベースステーションＢＴＳに位置される。ベースステーションＢＴＳは各タイムスロットごとに個別の並列な取り扱い機能を有する。分割器８２及び合成器８５は、次いで、必要に応じて、ベースステーションＢＴＳ、ベースステーションコントローラＢＳＣ又は移動サービス交換センターＭＳＣのようなネットワークエレメントに指定することができる。分割器８２及び合成器８５がベースステーションＢＴＳ以外の別のネットワークエレメントに配置されている場合には、低速度のデータ信号ＤＡＴＡ１及びＤＡＴＡ２が、通常のトラフィックチャンネルの信号と同様に、エレメントとベースステーションＢＴＳとの間に送信される。
ＧＳＭシステムの固定ネットワークにおいては、スピーチのコード化及びレートの適応に関連した種々の機能がＴＲＣＵ（トランスコーダ／レートアダプタユニット）に集中される。このＴＲＣＵは、製造者によりなされた選択に基づいてシステム内の多数の別の場所に配置することができる。典型的に、ＴＲＣＵは、移動サービス交換センターＭＳＣに配置されるが、ベースステーションコントローラＢＳＣ又はベースステーションＢＴＳの一部分であってもよい。ＴＲＣＵがベースステーションＢＴＳから離れて配置される場合には、ベースステーションとトランスコーダ／レートアダプタユニットＴＲＣＵとの間で情報がいわゆるＴＲＡＵフレームにおいて送信される。トランスコーダ／レートアダプタユニットの機能は、ＧＳＭ推奨勧告０８．６０に定義されている。本発明による合成器８５及び分割器８３は、このトランスコーダ／レートアダプタユニットＴＲＣＵと共に配置されてもよい。
移動ステーションＭＳでは、図８のブロック８０、８１、８３及び８４、即ちチャンネルコード化、インターリーブ、バースト形成及び変調、並びにそれに対応的に、復調、インターリーブ解除及びチャンネルデコード動作が、少なくとも２つのタイムスロットの実施形態において、全てのタイムスロットに共通な処理ユニットによって効果的に実施される。
良く知られたように、移動ステーションＭＳは、移動システムのエリア内を１つのセルから別のセルへと自由にローミングすることができる。移動ステーションが通話を取り扱わない場合には、１つのセルから別のセルへの切り換えが単に新たなセルに登録されるだけである。移動ステーションＭＳがセルの切り換え中に通話を取り扱う場合、通話は、これにできるだけ障害が及ばないような仕方で１つのベースステーションから別のベースステーションへ切り換えられねばならない。通話中のセルの切り換えを「ハンドオーバー」と称する。又、ハンドオーバーは、セル内において１つのトラフィックチャンネルから別のトラフィックチャンネルへ行うこともできる。
移動ステーションＭＳが無線ネットワーク内をローミングする場合に、サービスを行うセルからその隣接セルへの切り換えは、通常は、（１）移動ステーションＭＳ及び／又はベースステーションＢＴＳの測定結果が現在サービスセルからの低い信号レベル及び／又は質を指示しそしてその隣接セルから良好な信号レベルを得ることができるとき、或いは（２）隣接セルが低い送信電力レベルで通信を行うことができ、換言すれば、移動ステーションＭＳがセル間の境界エリアにいるときに行われる。無線ネットワークにおいては、不必要に高い電力レベルを回避し、ひいては、ネットワークのどこかの干渉を回避することを目的とする。
図９においては、移動ステーションは、通常の仕方で、フレームのタイムスロット０にロックされる。タイムスロット０においては、移動ステーションに指定されたトラフィックチャンネルＴＣＨが送信される。更に、同じタイムスロットの各２６番目のフレームにおいて、図６について述べたように、並列な制御チャンネルＳＡＣＣＨが送信される。ＧＳＭ推奨勧告によれば、移動ステーションＭＳは、これに指定されたトラフィックチャンネルＴＣＨ上でタイムスロット０においてサービスセルのダウンリンク信号のレベル及び質を監視（測定）する。他のタイムスロットの間に、移動ステーションＭＳは、サービスセルの隣接セルのダウンリンク信号のレベルを測定する。移動ステーションＭＳの全ての測定結果は、トラフィックチャンネルＴＣＨのタイムスロットに関連した並列制御チャンネルＳＡＣＣＨを経てベースステーションコントローラＢＳＣへ規則的に送信される。ベースステーションＢＴＳは、このベースステーションのサービスを受ける移動ステーションＭＳの各々から受け取ったアップリンク信号のレベル及び質を監視（測定）する。
測定結果に基づいて、ＢＳＣは、制御チャンネルＳＡＣＣＨを経てダウンリンク方向にＭＳへ送信された電力制御コマンドにより移動ステーションＭＳの電力を制御し、そしてハンドオーバーの判断を行う。
適当な送信電力レベルを決定するために無線ネットワークに使用される手順及び計算は、電力制御アルゴリズムと称する。多数の異なる形式のアルゴリズムがあるが、通常、それらの目的は、考えられる最低の送信電力レベル、ひいては、低い干渉レベルを得ることである。
通話進行中のハンドオーバーの判断は、各セルに指定された種々のハンドオーバーパラメータに基づきそして移動ステーションＭＳ及びベースステーションＢＴＳにより報告される測定結果に基づいてベースステーションコントローラＢＳＣにより行われる。ハンドオーバーは、通常、無線経路の基準に基づいて行われるが、例えば、負荷の分担といった他の理由で行うこともできる。ハンドオーバーの判断の基礎として使用される手順及び計算は、ハンドオーバーアルゴリズムと称される。或いは又、全てのハンドオーバーの判断を、このような場合に全ての測定結果が送信される移動サービス交換センターＭＳＣにおいて行うことができる。又、ＭＳＣは、少なくとも１つのベースステーションコントローラのエリアから別のベースステーションコントローラのエリアへと生じるハンドオーバーを制御する。
本発明により、移動ステーションに、高速度データ送信に対し同じフレーム内で多数のタイムスロットが指定されるときは、移動ステーションは、それに指定された各タイムスロットにおいてダウンリンク信号のレベル及び質を個別に測定する。図１０の例では、移動ステーションに隣接タイムスロット０及び１が指定される。移動ステーションＭＳは、それに指定されたトラフィックチャンネルＴＣＨにおいてタイムスロット０及び１にサービスセルのダウンリンク信号のレベル及び質を独立して測定する。他のタイムスロットの間に、移動ステーションＭＳは、サービスセルの隣接セルのダウンリンク信号のレベルを測定する。
本発明の主たる実施形態において、移動ステーションＭＳに指定された各タイムスロット、即ちトラフィックチャンネルＴＣＨは、専用の並列制御チャンネルＳＡＣＣＨを有し、これを通して各タイムスロットに関連した測定結果がベースステーションコントローラＢＳＣへ送信される。
ベースステーションコントローラＢＳＣは、移動ステーションＭＳの送信電力を各タイムスロットにおいて別々に制御し、換言すれば、トラフィックチャンネルＴＣＨ上で、該トラフィックチャンネルの制御チャンネルＳＡＣＣＨを通してダウンリンク方向に移動ステーションＭＳへ送信される電力制御コマンドにより制御する。その他の点では、個々のチャンネル上の電力制御は、ＧＳＭ推奨勧告に基づいて実行される。
或いは又、ベースステーションコントローラＢＳＣは、並列制御チャンネルの１つを通してダウンリンク方向に移動ステーションＭＳへ送信される共通の電力制御コマンドにより全てのタイムスロットの送信電力レベルを制御してもよい。
ハンドオーバーの判断は、移動ステーションに指定された２つ以上のタイムスロットの測定結果の組合せに基づくか又は質の悪いタイムスロットの測定結果に基づいてベースステーションコントローラにより行われる。ハンドオーバーを行う判断がなされたときに、変更されたハンドオーバーコマンドが、上記のように移動ステーションＭＳへ送られる。
本発明の第２の実施形態において、移動ステーションＭＳに指定された全てのタイムスロット、即ちトラフィックチャンネルＴＣＨは、共通の並列制御チャンネルＳＡＣＣＨを有し、これを通してタイムスロットの測定結果の組合せがベースステーションコントローラＢＳＣへ送信される。測定結果のこの組合せは、例えば、種々のタイムスロットの測定結果の平均値でよい。
ベースステーションコントローラＢＳＣは、移動ステーションＭＳの送信電力レベルを全てのタイムスロットにおいて一緒に、換言すれば、トラフィックチャンネルＴＣＨ上で、共通の制御チャンネルＳＡＣＣＨを経てダウンリンク方向に移動ステーションＭＳへ送信される共通の電力制御コマンドにより制御する。
ハンドオーバーの判断は、移動ステーションＭＳに指定されたタイムスロットの全部又は幾つかの測定結果の組合せに基づいてベースステーションコントローラにより行われる。ハンドオーバーを行う判断がなされるときには、変更されたハンドオーバーコマンドが上記のように移動ステーションへ送られる。
添付図面及びそれを参照した上記説明は、本発明を単に示すものに過ぎない。本発明の方法及び構成体は、請求の範囲内でその細部を種々変更し得る。
【図１】
0003831762.tif 000002
【図９】
0003831762.tif 000003
【図１０】
0003831762.tif 000004
【図２】
0003831762.tif 000005
【図３】
0003831762.tif 000006
【図４】
0003831762.tif 000007
【図５】
0003831762.tif 000008
【図６】
0003831762.tif 000009
【図７】
0003831762.tif 000010
【図８】
0003831762.tif 000011